(57)【特許請求の範囲】
【請求項１】
部品箱を部品納入箇所から部品発送箇所に持ち帰るように指示する装置であり、
部品箱を部品納入箇所から部品発送箇所に持ち帰り、部品を部品箱に収容し、部品を収容した部品箱を部品納入箇所に納入するまでに要する期間を記憶しているサイクル情報記憶手段と、
どの納入便でいくつの部品を納入する計画となっているかを示す部品納入情報と、サイクル情報記憶手段の記憶内容を用い、前記部品納入情報に記憶されている部品納入便から前記サイクル情報記憶手段に記憶されている前記期間を逆算して最終持ち帰り便を求め、それ以前の持ち帰り便が持ち帰るべき箱数を計算する手段、
を有する部品箱の持ち帰り指示装置。
【請求項２】
前記計算手段で計算された帰り便ごとの箱数を表示する表示手段を有することを特徴とする請求項１の部品箱の持ち帰り指示装置。
【請求項３】
持ち帰る単位箱数から、前記計算手段で計算された帰り便ごとの箱数を減じていき、減算値が所定数以下になった帰り便に対して前記の単位箱数を持ち帰るように表示する手段を有することを特徴とする請求項１の部品箱の持ち帰り指示装置。
【請求項４】
複数の帰り便のうちの特定の帰り便を部品箱持ち帰り便として記憶しておく手段と、
記憶されている部品箱持ち帰り便ごとに、次ぎの部品箱持ち帰り便までの間の帰り便に対して計算された帰り便ごとの箱数を累積する手段と、
記憶されている部品箱持ち帰り便ごとに、前記累積手段で累積された箱数を表示する手段を有することを特徴とする請求項１の部品箱の持ち帰り指示装置。
【請求項５】
複数の帰り便のうちの特定の帰り便を部品箱持ち帰り便として記憶しておく手段と、
記憶されている部品箱持ち帰り便ごとに、次ぎの部品箱持ち帰り便までの間の帰り便数に平均持ち帰り箱数を乗じた箱数を計算する乗算手段と、
前記乗算手段で計算された箱数から、前記計算手段で計算された帰り便ごとの箱数を減じていき、減算値が所定数以下になった帰り便に対して、次ぎの部品箱持ち帰り便までの不足箱数を指示する手段を有することを特徴とする請求項１の部品箱の持ち帰り指示装置。
【請求項６】
部品箱を部品納入箇所から部品発送箇所に持ち帰るように指示する装置であり、
部品種ごとに、その部品を収容する箱種を記憶している部品種・箱種情報記憶手段と、
部品種ごとに、部品箱を部品納入箇所から部品発送箇所に持ち帰り、部品を部品箱に収容し、部品を収容した部品箱を部品納入箇所に納入するまでに要する期間を記憶しているサイクル情報記憶手段と、
どの納入便で、どの部品を、いくつ納入する計画となっているかを示す部品納入情報と、部品種・箱種情報記憶手段とサイクル情報記憶手段の記憶内容を用い、前記部品種・箱種情報記憶手段に記憶されている部品種ごとに、前記部品納入情報に記憶されている部品納入便から前記サイクル情報記憶手段に記憶されている前記期間を逆算して最終持ち帰り便を求め、それ以前の持ち帰り便が持ち帰るべき箱種と箱数を計算する手段、
を有する部品箱の持ち帰り指示装置。
【請求項７】
前記計算手段で計算された帰り便ごとの箱種と箱数を表示する表示手段を有することを特徴とする請求項６の部品箱の持ち帰り指示装置。
【請求項８】
部品箱と部品箱を積載するパレットを部品納入箇所から部品発送箇所に持ち帰るように指示する装置であり、
部品種ごとに、その部品を収容する箱種を記憶している部品種・箱種情報記憶手段と、
箱種ごとに、部品箱のサイズを記憶している部品箱サイズ情報記憶手段と、
パレットに積載可能なサイズを記憶しているパレット情報記憶手段と、
部品種ごとに、部品箱を部品納入箇所から部品発送箇所に持ち帰り、部品を部品箱に収容し、部品を収容した部品箱を部品納入箇所に納入するまでに要する期間を記憶しているサイクル情報記憶手段と、
どの納入便で、どの部品を、いくつ納入する計画となっているかを示す部品納入情報と、部品種・箱種情報記憶手段と部品箱サイズ情報記憶手段とパレット情報記憶手段とサイクル情報記憶手段の記憶内容を用い、前記部品納入情報に記憶されている納入便が納入する部品種ごとの部品の数と、前記部品種・箱種情報記憶手段に記憶されている部品種ごとの箱種と、前記部品箱サイズ情報記憶手段に記憶されている箱種ごとの部品箱のサイズとから前記納入便が納入する部品箱の総サイズを計算し、前記計算された総サイズを前記パレット情報記憶手段に記憶されるパレットに積載可能なサイズで除して前記納入便で必要なパレット数を計算し、前記部品種・箱種情報記憶手段に記憶されている部品種ごとに、前記部品納入情報に記憶されている部品納入便から前記サイクル情報記憶手段に記憶されている前記期間を逆算して最終持ち帰り便を求め、それ以前の持ち帰り便が持ち帰るべき箱種と箱数とパレット数を計算する手段、
を有する部品箱とパレットの持ち帰り指示装置。
【請求項９】
部品箱のサイズが、各種部品箱の、縦寸法の最大公約数、横寸法の最大公約数、高さ寸法の最大公約数を各辺の長さとする直方体の容積を単位にして示されていることを特徴とする請求項８に記載の持ち帰り指示装置。
【請求項１０】
納入する部品箱の総サイズを、パレットに積載可能なサイズで除した余りが、所定数に満たないときに除した値をパレット数とし、所定数以上のときに除した値に１を加えてパレット数とすることを特徴とする請求項８又は９に記載の持ち帰り指示装置。
【請求項１１】
部品納入情報が、どの納入便で、どの部品を、いくつ納入するかに加え、部品を積載するパレット区分を指定する情報を備えており、
同一パレット区分が指定された部品箱の総サイズによって、区分ごとのパレット数を計算することを特徴とする請求項８から１０のいずれかに記載の持ち帰り指示装置。
【請求項１２】
前記計算手段で計算された帰り便ごとの箱種と箱数とパレット数を表示する表示手段を有することを特徴とする請求項８の持ち帰り指示装置。
【請求項１３】
持ち帰る単位パレット数から、前記計算手段で計算された帰り便ごとのパレット数を減じていき、減算値が所定数以下になった帰り便に対して前記の単位パレット数を持ち帰るように表示する手段を有することを特徴とする請求項８の持ち帰り指示装置。
【請求項１４】
複数の帰り便のうちの特定の帰り便をパレット持ち帰り便として記憶しておく手段と、
記憶されているパレット持ち帰り便ごとに、次ぎのパレット持ち帰り便までの間の帰り便に対して計算された帰り便ごとのパレット数を累積する手段と、
記憶されているパレット持ち帰り便ごとに、前記累積手段で累積されたパレット数を表示する手段を有することを特徴とする請求項８の持ち帰り指示装置。
【請求項１５】
複数の帰り便のうちの特定の帰り便をパレット持ち帰り便として記憶しておく手段と、
記憶されているパレット持ち帰り便ごとに、次ぎのパレット持ち帰り便までの間の帰り便数に平均持ち帰りパレット数を乗じたパレット数を計算する乗算手段と、
前記の乗算手段で計算されたパレット数から、前記計算手段で計算された帰り便ごとのパレット数を減じていき、減算値が所定数以下になった帰り便に対して、次ぎのパレット持ち帰り便までの不足パレット数を指示する手段を有することを特徴とする請求項８の持ち帰り指示装置。
【発明の詳細な説明】
【０００１】
【発明の属する技術分野】
本発明は、部品の納入に必要な資材、例えば、部品箱やその部品箱を積載するパレット等を有効に活用する技術に関する。特に、部品の納入とともに部品納入箇所に移動した部品箱等の資材を過不足なく部品発送箇所に返却する技術に関する。
【０００２】
【従来の技術】
部品の納入に必要な資材は、部品供給業者が所有して管理している。現状では、部品とともに部品納入箇所に移動した部品箱等から部品が使用されて部品箱等が空になるたびに、部品納入便の帰り便を利用して部品発送箇所に戻している。
【０００３】
【発明が解決しようとする課題】
多くの部品供給業者から部品の納入を受ける場合、部品供給業者ごとに独自の部品箱で納入されると、その後の処理が面倒であり、部品箱を規格化したいという要求がある。
また、納入された部品をさらに輸送する場合（例えば海外の生産拠点に輸送する場合）、部品供給業者が所有して管理する部品箱等から、部品の納入を受けた者が所有して管理する部品箱等に移し変える必要があり、無用な工数が必要とされる。
さらに、部品供給業者は、部品使用量が増大するのに応じて部品箱等を調達していては間に合わず、また、コストアップになることから、将来の増大を見越して一括調達することが必要とされ、結局は過大に調達して無駄に終わることも多い。
このような背景から、部品の納入を受ける者が部品箱等を所有して管理したいという要求が存在する。
【０００４】
部品の納入を受ける者の方で規格化した部品箱等を所有して管理する場合、現状で行なっているように、部品箱が空になるたびに帰り便を利用して部品発送箇所に戻す方法では管理できなくなる。複数の部品供給業者が存在している場合に、特定の部品供給業者に部品箱が集中し、部品箱に不足する部品供給業者が発生するからである。
そこで、部品納入に必要なだけの部品箱やパレット等を部品発送箇所に持ち帰るように指示する技術が必要とされる。
【０００５】
部品納入のために様々技術が開発されている。例えば、特開平４−３０３３２５号公報には、積載量が限られているパレットに混載する箱種の組合せを短時間で算出する技術が開示されている。特開平５−８１３０２号公報には、パレットと部品箱の最適な組合せを探索する技術が開示されている。特開平６−２４３２０９号公報には、パレットに積載する部品箱の最適レイアウトを探索する技術が開示されている。特開平１０−２１２００８号公報には、パレットが倉庫と加工場と出荷場の間を移動する場合に、倉庫での空きパレット数の変化を予測する技術が開示されている。
【０００６】
いずれの技術も、部品納入に必要なだけの部品箱やパレット等を部品発送箇所に持ち帰るように指示するためのものでなく、これらの従来技術では、持ち帰り数を指示することができない。
特開平１０−２１２００８号公報には、パレット数を計算する技術が開示されており、この技術を発展させることによって、部品納入に必要なだけの部品箱数やパレット数を計算することができるように思われる。しかしながら、それで実現できるのは、部品数と箱数ならびに部品数とパレット数が１：１に対応する場合に限られる。同じ部品箱であっても収容する部品種によって収容個数が変化したり、同じパレットであっても積載する箱種によって最大積載箱数が変化したりする場合、特開平１０−２１２００８号公報に記載の技術では対応することができない。
【０００７】
そこで、本発明は、同じ部品箱であっても収容する部品種によって収容個数が変化するような場合でも部品納入に必要な数だけの部品箱を部品発送箇所に持ち帰るように指示することができ、その結果、部品の納入を受ける者の方で規格化した部品箱を所有して管理することを可能とする技術を開発するものである。
【０００８】
【課題を解決するための手段と作用と効果】
本技術の第１の発明は、部品箱を部品納入箇所から部品発送箇所に持ち帰るように指示する装置に関する。
この指示装置は、部品箱を部品納入箇所から部品発送箇所に持ち帰り、部品を部品箱に収容し、部品を収容した部品箱を部品納入箇所に納入するまでに要する期間を記憶しているサイクル情報記憶手段と、どの納入便でいくつの部品を納入する計画となっているかを示す部品納入情報とサイクル情報記憶手段の記憶内容を用い、前記部品納入情報に記憶されている部品納入便から前記サイクル情報記憶手段に記憶されている前記期間を逆算して最終持ち帰り便を求め、それ以前の持ち帰り便が持ち帰るべき箱数を計算する手段とを有する。
【０００９】
この指示装置では、サイクル情報記憶手段に、部品箱を部品納入箇所から部品発送箇所に持ち帰り、部品を部品箱に収容し、部品を収容した部品箱を部品納入箇所に納入するまでに要する期間が記憶されていることから、どの帰り便までに部品箱を持ち帰れば、計画されている部品納入に間に合うかが計算される。
また、部品納入情報がどの納入便でいくつの部品を納入する計画となっているかを示すために、必要な箱数を計算できる。部品納入情報とサイクル情報記憶手段の記憶内容を用いることによって、どの帰り便までにいくつの部品箱を持ち帰れば、計画されている部品納入が実行可能となるのかが計算できる。
ここでいう部品納入情報は、例えば、発注情報から得ることができる。発注情報から、どの納入便でいくつの部品が納入されるのかがわかる。あるいは、生産計画から部品納入情報を得ることもできる。生産計画がわかれば、そのために必要な部品がどの納入便でいくつの納入されるのかがわかる。
【００１０】
表示手段に前記した計算手段で計算された帰り便ごとの箱数を表示し、帰り便ごとに、表示された箱数を持ち帰るようにすると、必要な箱数が必要なときに持ち帰られる。
【００１１】
帰り便ごとに持ち帰るのが煩雑であり、複数の帰り便のうちの１回の帰り便でまとまった箱数をまとめて持ち帰ったほうが合理的な場合も存在する。この場合、持ち帰る単位箱数（まとめて持ち帰る箱数）から、前記計算手段で計算された帰り便ごとの箱数を減じていき、減算値が所定数以下になった帰り便に対して単位箱数を持ち帰るように表示する手段を設けることが好ましい。この表示装置は、複数の帰り便のうちの特定の帰り便に対して、その帰り便で部品箱を持ち帰るように表示するものであればたり、持ち帰る箱数まで表示する必要はない。持ち帰るときの単位箱数は決まっているからである。
この指示装置によると、部品箱を毎回持ち帰る必要はなく、複数回のうちの１回でまとめて持ち帰ればよく、それが適しているケースでは部品箱の持ち帰り作業が合理化される。また、まとめて持ち帰る部品箱が無くなるタイミングに合わせて次ぎの持ち帰りが指示されるために、部品箱の過不足が生じない。
ダンボール等の毎回購入するものが部品箱として用いられる場合には、納入ロット数を持ち帰り単位箱数とすることができる。
【００１２】
まとめて持ち帰った部品箱が無くなるタイミングに合わせて再度まとめて持ち帰る方式に代えて、予め部品箱を持ち帰る便を予約しておき、その予約された帰り便でのみ部品箱を持ち帰る方式とすることができる。
この場合、複数の帰り便のうちの特定の帰り便を部品箱持ち帰り便として記憶しておく手段と、記憶されている部品箱持ち帰り便ごとに、次ぎの部品箱持ち帰り便までの間の帰り便に対して計算された帰り便ごとの箱数を累積する手段と、記憶されている部品箱持ち帰り便ごとに、前記累積手段で累積された箱数を表示する手段を新たに設ける。
この場合、部品箱持ち帰り便ごとに必要な箱数が表示されるために、予め予約された部品箱持ち帰り便ごとに表示された部品箱を持ち帰ればよい。
【００１３】
予め部品箱を持ち帰る便を予約しておく場合には、過去の平均的必要箱数から予約便で持ち帰るべき箱数を予め計算しておき、それで足らない場合には修正する方式をとることもできる。
この場合には、複数の帰り便のうちの特定の帰り便を部品箱持ち帰り便として記憶しておく手段と、記憶されている部品箱持ち帰り便ごとに、次ぎの部品箱持ち帰り便までの間の帰り便数に平均持ち帰り箱数を乗じた箱数を計算する乗算手段と、前記乗算手段で計算された箱数から、前記計算手段で計算された帰り便ごとの箱数を減じていき、減算値が所定数以下になった帰り便に対して、次ぎの部品箱持ち帰り便までの不足箱数を指示する手段を新たに設ける。
この場合、予約された便で予約された箱数を持ち帰ることを基本にしながら、それでは不足する場合には、必要なときに必要な箱数が表示されるので、部品箱の不足を防ぎながら、全体としては平均したペースで部品箱を持ち帰ることができる。
【００１４】
納入される部品種が多くて複数種類の部品箱が使用される場合、単に箱数を計算するだけでは足らず、箱種と組合せて箱数を計算しなければならない。
この場合には、部品種ごとにその部品を収容する箱種を記憶している部品種・箱種情報記憶手段と、部品種ごとに、部品箱を部品納入箇所から部品発送箇所に持ち帰り、部品を部品箱に収容し、部品を収容した部品箱を部品納入箇所に納入するまでに要する期間を記憶しているサイクル情報記憶手段と、どの納入便で、どの部品を、いくつ納入する計画となっているかを示す部品納入情報と、部品種・箱種情報記憶手段とサイクル情報記憶手段の記憶内容を用い、前記部品種・箱種情報記憶手段に記憶されている部品種ごとに、前記部品納入情報に記憶されている部品納入便から前記サイクル情報記憶手段に記憶されている前記期間を逆算して最終持ち帰り便を求め、それ以前の持ち帰り便が持ち帰るべき箱種と箱数を計算する手段を有する部品箱の持ち帰り指示装置を用いる。
【００１５】
この指示装置では、サイクル情報記憶手段に、部品箱を部品納入箇所から部品発送箇所に持ち帰り、部品を部品箱に収容し、部品を収容した部品箱を部品納入箇所に納入するまでに要する期間が記憶されていることから、何時までに部品箱を持ち帰ればよいかが計算できる。
また、部品種・箱種情報記憶手段に、部品種ごとにその部品を収容する箱種が記憶されていることから、納入する部品種が判れば必要とされる箱種が判る。
そして、部品納入情報が、どの納入便でどの部品をいくつ納入する計画となっているかを示すために、部品種・箱種情報記憶手段とサイクル情報記憶手段の記憶内容を用いることによって、何時までにどの箱種をいくつ持ち帰れば、計画されている部品納入が実行可能となるのかが計算される。
【００１６】
前記した計算手段で計算された帰り便ごとの箱種と箱数を表示する表示手段を設け、表示された箱種を表示された数だけ持ち帰るようにすると、必要な箱種が必要な数だけ必要なときに持ち帰られる。
この方式に代えて、必要なときに一定数をまとめて持ち帰るように指示する方式、あるいは、予め予約された帰り便で必要な箱種を必要な数だけ持ち帰らせるように表示することもできる。
【００１７】
上記の各種技術によって、部品納入に必要な部品箱が、必要なときに必要な数だけ部品発送箇所に持ち帰えられる。このために、部品の納入を受ける者の方で規格化した部品箱を所有して管理することが可能となる。部品供給業者ごとに独自の部品箱を使用したり、海外の生産拠点に送る場合に部品箱を交換したり、部品供給業者が部品箱を過剰に調達してコストアップを招くといった問題が解決される。
【００１８】
部品の運搬形態によっては、複数の部品箱をパレットに積載して運搬することがある。パレットを使わないで運搬する場合には、上記した一連の発明で対応できるが、パレットを使用する場合には、部品箱のみならずパレットの持ち帰りをも指示する必要がある。
【００１９】
本技術の一つの発明は、部品箱と部品箱を積載するパレットを部品納入箇所から部品発送箇所に持ち帰るように指示する装置に関する。この指示装置は、部品種ごとにその部品を収容する箱種を記憶している部品種・箱種情報記憶手段と、箱種ごとに部品箱のサイズを記憶している部品箱サイズ情報記憶手段と、パレットに積載可能なサイズを記憶しているパレット情報記憶手段と、部品種ごとに、部品箱を部品納入箇所から部品発送箇所に持ち帰り、部品を部品箱に収容し、部品を収容した部品箱を部品納入箇所に納入するまでに要する期間を記憶しているサイクル情報記憶手段と、どの納入便でどの部品をいくつ納入する計画となっているかを示す部品納入情報と、部品種・箱種情報記憶手段と部品箱サイズ情報記憶手段とパレット情報記憶手段とサイクル情報記憶手段の記憶内容を用い、前記部品納入情報に記憶されている納入便が納入する部品種ごとの部品の数と、前記部品種・箱種情報記憶手段に記憶されている部品種ごとの箱種と、前記部品箱サイズ情報記憶手段に記憶されている箱種ごとの部品箱のサイズとから前記納入便が納入する部品箱の総サイズを計算し、前記計算された総サイズを前記パレット情報記憶手段に記憶されるパレットに積載可能なサイズで除して前記納入便で必要なパレット数を計算し、前記部品種・箱種情報記憶手段に記憶されている部品種ごとに、前記部品納入情報に記憶されている部品納入便から前記サイクル情報記憶手段に記憶されている前記期間を逆算して最終持ち帰り便を求め、それ以前の持ち帰り便が持ち帰るべき箱種と箱数とパレット数を計算する手段とを有する。
【００２０】
この指示装置は、先に説明した指示装置を発展させたものであり、先に説明した作用によって、何時にどの箱種をいくつ持ち帰れば、計画されている部品納入が可能となるのかが計算される。
この装置ではこの他に、部品箱サイズ情報記憶手段に箱種ごとの部品箱のサイズが記憶されおり、パレット情報記憶手段に積載可能なサイズが記憶されているために、部品箱群を積載するために必要とされるパレット数が計算される。
この結果、どの箱種をいくつ持ち帰えるかの表示に加えて、持ち帰るべきパレット数が表示される。帰り便の運行者が、表示された数のパレットと表示された箱種を表示された箱数だけ持ち帰れば、持ち帰ったパレットと部品箱を用いることによって、計画されている部品納入が実行できる。
【００２１】
部品箱のサイズを示すにあたって、各種部品箱の、縦寸法の最大公約数、横寸法の最大公約数、高さ寸法の最大公約数を各辺の長さとする直方体の容積を単位にして示すことが好ましい。
この場合、サイズが簡単な整数で示され、計算が短時間ですみ、人もまたサイズを理解しやすくなる。
【００２２】
パレット数を算出する際に、納入する部品箱の総サイズを、パレットに積載可能なサイズで除した余りが、所定数に満たないときに除した値をパレット数とし、所定数以上のときに除した値に１を加えてパレット数を算出することが好ましい。
例えば、納入する部品箱の総サイズが20,500であり、パレットに積載可能なサイズが10,000である場合、余りは500である。この場合、一方のパレットに105％を積載すれば、余りの500のために３台目のパレットを用意する必要がない。通常パレットの積載可能サイズは余裕を持って定められており、105％程度であれば積載することができる。
一方、納入する部品箱の総サイズが24,000であれば、余りは4,000である。この場合、140％を積載すれば３台目のパレットを用意する必要がないが、それは無理であり、この場合には、商の値に１を加えてパレット数を求める。
余りと比較する所定数を、許容される余裕数とすることで、実際に適したパレット数を算出することができる。
【００２３】
部品納入情報に、どの納入便でどの部品をいくつ納入するかに加え、部品を積載するパレット区分を指定する情報を付加しておくことが好ましい。
例えば、同じ納入便で、海外のＡ生産拠点に輸送する部品群、Ｂ生産拠点に輸送する部品群、部品納入箇所で使用される部品群が混在して納入される場合、Ａ生産拠点に輸送する部品群のためのパレットと、Ｂ生産拠点に輸送する部品群のためのパレットと、そこで使用される部品群のためのパレットとが区分されていれば、納入された部品群をパレット間で載せかえることなく、次の工程に向けて処理することができる。部品納入情報に、部品を積載するパレット区分を指定する情報が含まれていればそれが可能となる。
この場合、同一パレット区分が指定された部品箱の総サイズによって区分ごとのパレット数を計算すれば、区分ごとに過不足のないパレット数が計算される。
このようにして計算されたパレット数を持ち帰れば、Ａ生産拠点に輸送する部品群と、Ｂ生産拠点に輸送する部品群と、そこで使用される部品群を、別々のパレットに積載して納入するのに必要なパレットが確保される。
【００２４】
前記した計算手段で計算された帰り便ごとの箱種と箱数とパレット数を表示する表示手段を設け、表示された数のパレットと表示された箱種を表示された数だけ持ち帰るようにすると、必要なパレットと箱種が必要な数だけ必要なときに持ち帰られる。
【００２５】
この方式に代えて、必要なときに一定数のパレットをまとめて持ち帰るように指示する方式とすることもできる。
この場合、持ち帰る単位パレット数（まとめて持ち帰るパレット数）から、前記計算手段で計算された帰り便ごとのパレット数を減じていき、減算値が所定数以下になった帰り便に対して単位パレット数を持ち帰るように表示する手段を設けることが好ましい。
この指示装置によると、パレットを毎回持ち帰る必要がなく、複数回のうちの１回でまとめて持ち帰ればよく、それが適しているケースではパレットの持ち帰り作業が合理化される。また、まとめて持ち帰るパレットが無くなるタイミングに合わせて次ぎの持ち帰りが指示されるために、パレットの過不足という問題は生じない。
まとめて持ち帰る単位パレット数は、空きパレットを段積みして保存するときの段数としたり、あるいは、車両に過不足なく積載できるパレット数とすることができる。
【００２６】
まとめて持ち帰ったパレットが無くなるタイミングに合わせて再度まとめて持ち帰る方式に代えて、予めパレットを持ち帰る便を予約しておき、その予約された帰り便でのみパレットを持ち帰る方式とすることができる。
この場合、複数の帰り便のうちの特定の帰り便をパレット持ち帰り便として記憶しておく手段と、記憶されているパレット持ち帰り便ごとに、次ぎのパレット持ち帰り便までの間の帰り便に対して計算された帰り便ごとのパレット数を累積する手段と、記憶されているパレット持ち帰り便ごとに、前記累積手段で累積されたパレット数を表示する手段を新たに設ける。
この場合、パレット持ち帰り便ごとに必要なパレット数が表示されるために、予め予約されたパレット持ち帰り便ごとに表示された数のパレットを持ち帰ればよい。
【００２７】
予めパレットを持ち帰る便を予約しておく場合には、過去の平均的必要パレット数から予約便で持ち帰るべきパレット数を予め計算しておき、それで足らない場合には修正する方式をとることもできる。
この場合には、複数の帰り便のうちの特定の帰り便をパレット持ち帰り便として記憶しておく手段と、記憶されているパレット持ち帰り便ごとに、次ぎのパレット持ち帰り便までの間の帰り便数に平均持ち帰りパレット数を乗じたパレット数を計算する乗算手段と、前記乗算手段で計算されたパレット数から、前記計算手段で計算された帰り便ごとのパレット数を減じていき、減算値が所定数以下になった帰り便に対して、次ぎのパレット持ち帰り便までの不足パレット数を指示する手段を新たに設ける。
この場合、予約された便で予約されたパレット数を持ち帰ることを基本にしながら、それでは不足する場合には、必要なときに必要なパレット数が表示されるので、パレットの不足を防ぎながら、全体としては平均したペースでパレットを持ち帰ることができる。
【００２８】
【発明の実施の形態】
この発明は、下記の形態で実施することを特徴とする。
（形態１）同じ部品種でも、海外生産拠点に輸送する場合と、部品納入箇所で使用する場合とでは、異なる部品箱に収容する。このために、部品種ごとにその部品を収容する箱種を記憶している部品種・箱種情報記憶手段において、海外生産拠点向けの部品と国内向け部品とを異なる部品種として扱い、それぞれに対応する箱種を記憶しておく。
この結果、海外生産拠点に輸送する部品は、海上輸送に適した部品箱に収容されて納品され、部品箱間で移しかえる必要が無くなる。
（形態２）箱種と箱数に加えて、部品を収容するのに必要とされる梱包資材（例えば、クッション、部品間の仕切り、防錆剤）をも表示して指示する。
部品種ごとにその部品を収容する箱種を記憶している部品種・箱種情報記憶手段に、必要な梱包資材の種類と量を記憶しておくことで、上記の指示が可能となる。
（形態３）パレット数に加えて、パレットに積載するのに必要とされる梱包資材（例えば、クッション、カバーシート）をも表示して指示する。
パレットに積載可能なサイズを記憶しているパレット情報記憶手段に、必要とされる梱包資材の種類と量を記憶しておくことで、上記の指示が可能となる。
（形態４）部品納入情報にパレット種を示す情報が含まれており、パレット情報はパレット種ごとに積載可能サイズを記憶している。複数種のパレットが用いられる場合に、納入便で用いられるパレット種が選択されてパレット数が計算される。
（形態５）表示装置は、帳票形式で、部品納入に必要な資材の種類と数量を表示する。
【００２９】
【実施例】
図２は、部品の納入に必要な資材の持ち帰り指示装置５８を示し、パーソナルコンピュータ５４と、帳票プリンター５６で構成されている。パーソナルコンピュータ５４は、部品納入時に必要な資材を計算して帳票プリンター５６に帳票３６を印字させるプログラムがインストールされており、納入時必要資材管理コンピュータということができる。
納入時必要資材管理コンピュータ５４は、社内のコンピュータネットワーク５２に接続されており、部品の納入を管理するコンピュータ５０から、どの納入便でどの部品をいくつ納入する計画となっているかを示す部品納入情報１４（図１参照）を取り込むことができる。部品納入情報１４は、部品発注情報から得ることができる。
多くの部品はトラック６４で納入される。多数のトラックが予め決められている時刻に部品納入箇所６０に到着するように運行されており、納入便コードによって、どの部品発送箇所から何時に到着する部品納入便であるかが特定できる。
図１に示す部品納入情報１４は、どの納入便でどの部品をいくつ納入する計画となっているかを示すのみならず、パレット区分を指定している。例えば、海外のＡ生産拠点に輸送する部品群にはＡ区分が指定され、Ｂ生産拠点に輸送する部品群にはＢ区分が指定され、部品納入箇所６０で使用される部品群にはＣ区分が指定されている。
同じ部品種でも、海外生産拠点に輸送する部品と、部品納入箇所６０で使用する部品では、部品種が異なるものとして記憶されている。同じ00123の部品番号を持つ部品でも、海外生産拠点に輸送する部品は00123Ｆの部品種として記憶され、部品納入箇所６０で使用する部品は00123Dの部品種として記憶されている。
パレット種が複数存在する場合には、納入便にあわせたパレット種が記憶されている。納入便の荷台形状や部品発送先の荷役設備に適合したパレット種が記憶されている。
【００３０】
納入時必要資材管理コンピュータ５４は、図１に示すように、部品種・箱種情報１８と、部品箱サイズ情報２２と、パレット情報２６と、サイクル情報３０を記憶している。各種情報は、コンピュータ５４の記憶装置の中に、それぞれファイル化されて記憶されている。従って、部品種・箱種情報記憶手段１６と、部品箱サイズ情報記憶手段２０と、パレット情報記憶手段２４と、サイクル情報記憶手段２８は、いずれも、コンピュータ５４の記憶装置によって実現されている。
【００３１】
部品種・箱種情報記憶手段１６は、部品種ごとに、その部品を収容する箱種と、一箱に収容される部品数と、一箱分の部品を収容するのに必要とされる梱包資材（例えば、クッション、部品間の仕切り、防錆剤）の種類と量を示す部品種・箱種情報１８を記憶している。
部品納入情報１４で示される部品数を、部品種・箱種情報１８で示される一箱に収容される部品数で除することで、必要な部品箱数が計算できる。部品納入情報１４で示される部品数が一箱に収容される部品数を単位にして示されていれば、部品種・箱種情報１８が一箱に収容される部品数の情報をもっている必要はない。
部品納入箇所では、部品箱を３種に規格化しており、箱種はそのうちの１種を示すものである。
【００３２】
部品箱サイズ情報記憶手段２０は、箱種ごとに、部品箱のサイズ示している部品箱サイズ情報２２を記憶している。
部品納入箇所で使用される３種の部品箱の縦寸法は、200,250,300の３種であり、最大公約数は50である。横寸法は、300,250,500の３種であり、最大公約数は50である。高さ寸法は、100,200,250の３種であり、最大公約数は50である。
部品箱のサイズは、各種部品箱の縦寸法の最大公約数（この場合50）、横寸法の最大公約数（この場合50）、高さ寸法の最大公約数（この場合50）を各辺の長さとする直方体（この場合50×50×50）の容積を単位にして示され、200×300×100の部品箱のサイズは48であり、250×250×200の部品箱のサイズは100であり、300×500×250の部品箱のサイズは300である。
最大公約数を各辺の長さとする直方体（この場合50×50×50）の容積を単位にしてサイズを表すと、サイズが整数化され、計算しやすく、理解しやすい。
【００３３】
パレット情報記憶手段２４は、パレット種類ごとに、パレットに積載可能なサイズと、パレットに積載するのに必要とされる梱包資材（例えば、クッション、カバーシート）の種類と量を示すパレット情報２６を記憶している。
パレットに積載可能なサイズは、部品箱のサイズを示すのと同じ単位で示され、例えば、1100×1100×1200まで積載できるパレットは、22×22×24（11,616）のサイズまで積載可能である。パレットが一種しかない場合には、パレット種の情報は必要とされない。
【００３４】
サイクル情報記憶手段２８は、部品種ごとに、部品箱を部品納入箇所６０から部品発送箇所６２に持ち帰り、部品を部品箱に収容し、部品を収容した部品箱を部品納入箇所６０に納入するまでに要する期間を示すサイクル情報３０を記憶している。
【００３５】
図１の３８は、帰り便で、部品ａを収容する部品箱が部品納入箇所６０から部品発送箇所６２に持ち帰えられている行程を示す。３９は、持ち帰られた部品箱に部品ａを収容している行程を示す。４０と４１は、部品ｂに対する同種の行程を示す。部品が異なると、部品箱に部品を収容するのに必要な時間が相違してくる。４２は、帰り便で、パレットが部品納入箇所６０から部品発送箇所６２に持ち帰えられている行程を示す。４３は、持ち帰られたパレットに部品箱を積載している行程を示す。４４は、部品発送個所６２から部品納入箇所６０に納入する行程を示す。
サイクル情報記憶手段２８は、部品種ごとに、部品箱を持ち帰ってから納入するまでに要する期間（これは通常、納入便の時間間隔を単位にして示す）を示す情報を記憶しているから、納入便から逆算して、何時の帰り便で部品箱を持ち帰れば、納入に間に合うのかが計算できる。例えば、納入便４４で納入される部品ａのための部品箱は帰り便３８で持ち帰ればよく、納入便４４で納入される部品ｂのための部品箱は帰り便４０で持ち帰ればよく、納入便４４で使用するパレットは帰り便４２で持ち帰ればよいことが判る。
パレットのサイクルは予め判っていることが多く、パレットのサイクル情報はプログラムに組込んでしまうことができる。
サイクル情報から算出される帰り便は最終の返却便を示し、それよりも先立って返却すれば部品の納入に間に合うことができる。
【００３６】
納入時必要資材管理コンピュータ５４が、部品箱とパレットの持ち帰り数を計算する場合、そのためにインストールされているプログラムが実行される。
最初に、コンピュータネットワーク５２を利用して、どの納入便でどの部品をいくつ納入する計画となっているかを示す部品納入情報１４を読み込む。読み込まれた部品納入情報１４にパレット区分が指定されていない場合には、部品の利用形態を示すデータを参照して、パレット区分を指定する。読み込まれた部品納入情報１４にパレット種が記憶されていない場合には、納入便の荷台形状や部品発送先の荷役設備に適合したパレット種を記憶する。
【００３７】
次に、部品種・箱種情報記憶手段１６に記憶されている部品種・箱種情報１８と、部品箱サイズ情報記憶手段２０に記憶されている部品箱サイズ情報２２と、パレット情報記憶手段２４に記憶されているパレット情報２６と、サイクル情報記憶手段２８に記憶されているサイクル情報３０を参照して、部品納入情報１４の計画を実行するために持ち帰ることが必要な箱種と箱数とパレット数を帰り便ごとに計算する。パレット種が複数ある場合、納入便に対応付けて記憶されているパレット種を選択し、そのパレット種の積載可能サイズから、必要パレット数を計算する。
【００３８】
パレット数を算出する際に、納入する部品箱の総サイズを、パレットに積載可能なサイズで除した余りが、所定数に満たないときには除した値をパレット数とし、所定数以上のときには除した値に１を加えてパレット数を算出する。
例えば、納入する部品箱の総サイズが20,500であり、パレットに積載可能なサイズが10,000である場合、余りは500である。この場合、一方のパレットに105％を積載すれば、余りの500のために３台目のパレットを用意する必要がない。通常パレットの積載可能サイズは余裕を持って定められており、105％程度であれば積載することができる。
一方、納入する部品箱の総サイズが24,000であれば、余りは4,000である。この場合、140％を積載すれば３台目のパレットを用意する必要がないが、それは無理であり、この場合には、商の値に１を加えてパレット数を求める。
余りと比較する所定数を、許容される余裕数（この実施例では110％まで許容される）とすることで、実際に適したパレット数を算出することができる。
パレット数の計算は、部品納入情報１４に記憶されているパレット区分ごとに行なわれる。このけ結果、Ａ生産拠点に輸送する部品群のためのパレットと、Ｂ生産拠点に輸送する部品群のためのパレットと、そこで使用される部品群のためのパレットとが区分された状態で納入するのに必要なパレット数が計算される。
図１では、Ａ区分の部品のために２個のパレットが必要とされ、Ｂ区分の部品のために１個のパレットが必要な場合を例示している。区分ごとのパレットに余裕があっても、混載しない。混載しないですむパレット数が予め持ち帰られている。
【００３９】
こうして計算された、帰り便ごとの箱種と箱数とパレット種とパレット数は、帳票プリンター５６で印字され、帰り便運行者に表示される。
帰り便の運行者は、資材置き場から、帳票３６に印字された箱種と箱数とパレット種とパレット数の表示によって、必要な資材を帰り便に積み込んで、部品発送箇所６２に持ち帰る。
【００４０】
毎回の帰り便毎に部品箱とパレットを持ち帰ることが煩雑な場合も存在する。特に、納入個数が少ない部品については、帰り便ごとに部品箱とパレットを持ち帰るよりも、まとめて持ち帰ったほうが作業性が良くなることがある。
まとめて持ち帰る方式には２種が存在し、予め決められている箱数やパレット数等を単位にして持ち帰る方式と、予め予約されている帰り便でまとめて持ち帰る方式が採用できる。前者の場合には、持ち帰るタイミングを的確に選択することで過不足なく持ち帰ることができ、後者の場合には、予約便で持ち帰る箱数等を的確に計算することで過不足なく持ち帰ることができる。予約した便で持ち帰る方式では、必要数を正確に算出して持ち帰る方式と、大まかな計算に基づいて持ち帰り数を計算しておいてそれを修正して実際に対応する方式が採用できる。
【００４１】
図３の（Ａ）は部品納入情報１４に記憶されている一例を示し、ある部品が、横軸に示す部品納入便に対して縦軸に示す箱数だけ納入される計画になっている場合を例示する。
図３の（Ｂ）は、その計画のために部品納入箇所から持ち帰ることが必要な箱数を示し、図３（Ａ）に対して過去方向にｍ便だけシフトしている。ｎ便で持ち帰った部品箱は、ｎ＋ｍ便での納入に利用することができる。
【００４２】
図３の（Ｃ）は、予め決められている単位箱数（まとめて持ち帰る箱数）を的確なタイミングで持ち帰るように表示する技術内容を示す。
Ｃ１は安全数を示し、持ち帰り箱数がこれ以下になったときに単位箱数の持ち帰りを指示する箱数である。図中のＣ２はまとめて持ち帰るときの単位箱数を示し、持ち帰るときにはこの単位箱数Ｃ２をまとめて持ち帰る。段ボール等の毎回購入するものが部品箱として用いられる場合には、納入ロット数を持ち帰り単位箱数とすることことができる。この場合、部品を購入する者の側では、購入した段ボール等の梱包等を解く必要がない。パレットの持ち帰りを指示する場合には、空きパレットを段積みして保存するときの段数を単位パレット数としたり、あるいは、車両に過不足なく積載できるパレット数を単位数とすることができる。
図３の（Ｃ）では、既に持ち帰っている箱数からｎ便で持ち帰るべき箱数を減じた結果が安全数Ｃ１に等しくなった場合を示す。この場合、ｎ便で持ち帰らないと部品箱が不足するために、ｎ便で単位箱数Ｃ２個を持ちかえるように指示する。ここでは、まとめてＣ２個を持ち帰るために、本来ならｎ＋１便で持ち帰れば間に合うものまでをも先に持ち帰る。
そこでｎ＋１便では、先にまとめて持ち帰った箱数からｎ＋１便で持ち帰るべき箱数を減じる。この減算値は、事前に余分に持ち帰っている箱数に相当する。ここでは、これを繰越個数という。以下同じことを、ｎ＋２便、ｎ＋３便と続ける。即ち、繰越個数を更新する。図３（Ｃ）では、事前に持ち帰っている箱数からｎ＋４便で持ち帰るべき箱数を減じた結果、減算値（繰越個数）が安全数Ｃ１以下になった場合を例示している。このために、表示装置３４が、ｎ＋４便の運行者に、持ち帰りを指示する。ｎ＋４便の運行者は、指示に従って、ｎ＋４便で部品箱やパレットを持ち帰る。この場合、予め決められている単位数Ｃ２個の部品箱やパレットを持ち帰る。以下同様に手順が繰返される。この結果、ｎ＋４便、ｎ＋７便、ｎ＋１１便等で、まとめて部品箱やパレットが持ち帰られる。
この方式によると、毎回持ち帰る必要がなく、予め決められている単位箱数なしは単位パレット数ごとにまとめて持ち帰ればよい。このとき、的確なタイミングで持ち帰るように指示されるために、部品箱やパレットは過不足なく、部品納入箇所と部品発送箇所の間を往復することになる。
【００４３】
図３の（Ｄ）は、予め予約されている予約便で必要な数の部品箱とパレットを持ち帰るように指示する技術を示す。
図３の（Ｄ）では、ｎ便と、ｎ＋５便、ｎ＋１０便で部品箱とパレットを持ち帰るように予約されている場合を例示している。
この場合、ｎ便で、ｎ便からｎ＋４便までに持ち帰るべき数の合計を持ち帰れば、ｎ＋１便からｎ＋４便まででは持ち帰る必要がなく、ｎ＋５便で、ｎ＋５便からｎ＋９便までに持ち帰るべき数の合計を持ち帰れば、ｎ＋６便からｎ＋９便まででは持ち帰る必要がない。
この例では、ｎ便と、ｎ＋５便、ｎ＋１０便で部品箱とパレットを持ち帰るように予約しているが、部品箱の持ち帰り予約便と、パレットの持ち帰り予約便を別々にしておいてもよい。
【００４４】
図４の（Ａ）と（Ｂ）は、図３の（Ａ）と（Ｂ）と同種の数量変化を示している。図４の（Ｅ）は、予約便で持ち帰る場合に、持ち帰り後の部品発送箇所での部品箱数やパレット数が所定数となるように持ち帰る場合を示している。
この場合、予約便（ｎ便）でＥ１だけ持ち帰る。余分に持ち帰った数は、ｎ便、ｎ＋１便、ｎ＋２便と減少していく。次ぎの予約便（ｎ＋５便）の直前便（ｎ＋４便）での余分に持ち帰った数がプラスであれば、次ぎの予約便（ｎ＋５便）ではそれだけ少なく持ち帰る。次ぎの予約便（ｎ＋１０便）の直前便（ｎ＋９便）での余分に持ち帰った数がマイナスであれば、次ぎの予約便（ｎ＋１０便）ではそれだけ多く持ち帰る。持ち帰る数をこのように計算すると、予約便で持ち帰った後の部品発送箇所での部品箱数やパレット数が所定数となるように持ち帰られる。
【００４５】
図４の（Ｆ）は、予約便で基本的には一定数を持ち帰るようにしながら、実態に合わせて修正する場合を示している。
この場合、過去の平均的使用ペースを参照して、予約便で持ち帰る箱数等も予約しておく。例えば、過去の一便あたりの納入数が３個であり、５便に１便の割合いで持ち帰りが予約されていれば、各予約便で基本的には１５個（３個に５回を乗じた数）を持ち帰る。
予約便（ｎ＋５便）の直前便（ｎ＋４便）での余分に持ち帰った数がプラスであれば、次ぎの予約便（ｎ＋５便）ではそれだけ少なく持ち帰る（図中のＦ４だけ持ち帰る）。
一方、予約便の前に、余分に持ち帰った数がマイナスとなれば、次ぎの予約便までの不足数を計算して、臨時に持ち帰る。図３の（Ｆ）の場合、ｎ＋８便で、余分に持ち帰った数がゼロとなり、ｎ＋９便で、余分に持ち帰った数がＦ１だけマイナスとなるので、予約されていないｎ＋９便で臨時にＦ１だけ持ち帰るように指示する。また、ｎ＋１３便で、余分に持ち帰った数がＦ２だけマイナスとなるので予約されていないｎ＋１３便で、ｎ＋１３便での不足数Ｆ２にｎ＋１４便での必要数を加算したＦ３だけ持ち帰るように指示する。
このようにすると、基本的には、予約された便で予約された数だけ持ち帰るようにしながら、臨時便によって現実の過不足に対して対応することができる。
【００４６】
持ち帰りを予約するに当って間隔を広く取ると、１回では持ち帰ることができないことがありえる。納入時必要資材管理コンピュータ５４には、最大持ち帰り数が記憶されており、これを超える持ち帰り数が計算される場合には、余剰分を１つ前の便に割り振る。１つ前の便に割り振りすみの場合には、１つ後の便に割り振る。
予約便を選定するときには、１回で無理なく持ち帰ることができる範囲で選定することが好ましい。
【００４７】
以上の実施例では、パレット数をも表示するが、部品箱を直接荷台に乗せて運搬する形式の場合には、パレット数の計算は不要である。
パレット数を計算したときに、余りの数が小さな場合にはパレット数を切り上げない実施例を示したが、余りの大きさに関係なく、余りがあれば切り上げても良い。
箱のサイズを示す単位を、最大公約数の辺の長さを持つ直方体の容積を単位としたが、通常の立法メートル等の単位でサイズを表しても良い。
帰り便の運行者はパレット種を良く知っており、パレット種の表示は省略することができる。パレット種が一種類しかない場合には、パレット種の表示は当然に必要とされない。
【図面の簡単な説明】
【図１】実施例の指示装置のシステム構成をデータと処理内容から表した図。
【図２】実施例の指示装置のシステム構成を物理的環境から表した図。
【図３】部品納入計画（Ａ）から計算される持ち帰り数（Ｂ）と、それを単位数でまとめて持ち帰る場合の箱数の変化（Ｃ）と、予約便ごとに持ち帰る場合の箱数の変化を示す。
【図４】部品納入計画（Ａ）から計算される持ち帰り数（Ｂ）と、予約便で一定数になるように持ち帰る場合の箱数の変化（Ｅ）と、予約便と臨時便を併用して帰る場合の箱数の変化を示す。
【符号の説明】
１２：部品納入情報記憶手段
１４：部品納入情報
１６：部品種・箱種情報記憶手段
１８：部品種・箱種情報
２０：部品箱サイズ情報記憶手段
２２：部品箱サイズ情報
２４：パレット情報記憶手段
２６：パレット情報
２８：サイクル情報記憶手段
３０：サイクル情報
３２：持ち帰り数計算手段
３４：持ち帰り数表示手段
５４：納入時必要資材管理コンピュータ
【図１】
0004857499.tif 000002
【図２】
0004857499.tif 000003
【図３】
0004857499.tif 000004
【図４】
0004857499.tif 000005